(57)【要約】【課題】構造の信頼度を向上させる締結装置を提供する。【解決手段】締結装置１００は、ハウジングユニット２００と、コイル３００と、制動ユニット４００と、ノブ５００と、接続ユニット６００と、を備える。コイル３００は、大径部３４２及び小径部３４１を有する軸心空間３４０を含み、内部空間に位置する。接続ユニット６００は、ノブ５００に接続される第１の部品群と、第１の部品群に接続されるように、軸心空間３４０に貫設され且つ大径部３４２により位置決めされる第２の部品群と、を含む。これにより、構造の信頼度が向上する。【選択図】図４
2021531219.tif 000002
【特許請求の範囲】
【請求項１】
径方向及び軸方向を有し、且つ内部空間を取り囲む環状壁を含むハウジングユニットと、
大径部、及び前記軸方向に沿って前記大径部に接続される小径部を有する軸心空間を含み、前記内部空間に位置するコイルと、
前記軸方向に沿って前記コイルの上方に設けられ、前記コイルの放出方向への回転を選択的に遮断する制動ユニットと、
前記軸方向に沿って前記制動ユニットの上方に設けられ、且つ前記制動ユニットに結合されるノブと、
前記ノブに接続される第１の部品群と、前記第１の部品群に接続されるように、前記軸心空間に貫設され且つ前記大径部により位置決めされる第２の部品群と、を含む接続ユニットと、
を備えることを特徴とする締結装置。
【請求項２】
前記第１の部品群は、スクリューを含み、
前記第２の部品群は、接続スリーブを含み、該接続スリーブは、前記大径部に位置決めされる頂上部と、前記頂上部に接続され、前記小径部を通過し且つ前記スクリューがロックされる筒部と、を有することを特徴とする請求項１に記載の締結装置。
【請求項３】
前記ノブは、前記軸方向に沿って前記内部空間へ突出するボスを含み、前記接続スリーブが前記ノブと連動するように、前記筒部が前記ボスに嵌合されることを特徴とする請求項２に記載の締結装置。
【請求項４】
前記第１の部品群は、ロック軸スリーブを含み、
前記第２の部品群は、前記大径部に位置決めされるストッパリングと、前記ストッパリング及び前記小径部を通過して前記ロック軸スリーブにロックされるスクリューと、を含むことを特徴とする請求項１に記載の締結装置。
【請求項５】
前記ロック軸スリーブは、下嵌合部を含み、
前記ストッパリングは、前記下嵌合部に嵌合される内嵌合溝を含むことを特徴とする請求項４に記載の締結装置。
【請求項６】
前記ノブは、前記軸方向に沿って前記内部空間へ突出するボスを含み、
前記ロック軸スリーブは、前記下嵌合部に接続され且つ前記ボスに嵌合される上嵌合部を含むことを特徴とする請求項５に記載の締結装置。
【請求項７】
前記ロック軸スリーブは下端面を含み、前記スクリューが前記ロック軸スリーブにロックされた状態で、前記ストッパリングが前記下端面に当接することを特徴とする請求項４に記載の締結装置。
【請求項８】
前記第１の部品群は、ロック軸スリーブを含み、
前記第２の部品群は、スクリューを含み、該スクリューは、前記大径部により位置決めされる頭部と、前記頭部に接続され且つ前記ロック軸スリーブにロックされるように、前記軸心空間に貫設されるロッド部と、を有することを特徴とする請求項１に記載の締結装置。
【請求項９】
前記ハウジングユニットは、前記環状壁の下端に凹設される内環凹部を更に含むことを特徴とする請求項１に記載の締結装置。
【請求項１０】
前記ハウジングユニットは、
前記径方向に沿って前記内部空間へ突出するように前記環状壁に位置するストッパ部を更に含み、
前記コイルが、前記ストッパ部の下方に位置することを特徴とする請求項１に記載の締結装置。
【請求項１１】
径方向及び軸方向を有し、且つ内部空間を取り囲む環状壁を含むハウジングユニットと、
大径部、及び前記軸方向に沿って前記大径部に接続される小径部を有する軸心空間を含み、前記内部空間に位置するコイルと、
前記軸方向に沿って前記コイルの上方に設けられ、前記コイルの放出方向への回転を選択的に遮断する制動ユニットと、
前記制動ユニットに結合されるように前記軸方向に沿って前記制動ユニットの上方に設けられ、前記放出方向へ回転して前記制動ユニットが前記軸方向に沿って上昇するように連動させて、前記制動ユニットと前記コイルとを分離させるノブと、
前記ノブに接続され、且つ前記軸心空間に貫設されて前記大径部により位置決めされる接続ユニットと、
を備えることを特徴とする締結装置。
【請求項１２】
前記接続ユニットは、
前記ノブに接続される第１の部品群と、
前記第１の部品群に接続されるように、前記軸心空間に貫設され、且つ前記大径部により位置決めされる第２の部品群と、
を備えることを特徴とする請求項１１に記載の締結装置。
【請求項１３】
前記第１の部品群は、スクリューを含み、
前記第２の部品群は、接続スリーブを含み、該接続スリーブは、前記大径部に位置決めされる頂上部と、前記頂上部に接続され、前記小径部を通過し且つ前記スクリューがロックされる筒部と、を有することを特徴とする請求項１２に記載の締結装置。
【請求項１４】
前記ノブは、前記軸方向に沿って前記内部空間へ突出するボスを含み、前記接続スリーブが前記ノブと連動するように、前記筒部が前記ボスに嵌合されることを特徴とする請求項１３に記載の締結装置。
【請求項１５】
前記第１の部品群は、ロック軸スリーブを含み、
前記第２の部品群は、前記大径部に位置決めされるストッパリングと、前記ストッパリング及び前記小径部を通過して前記ロック軸スリーブにロックされるスクリューと、を含むことを特徴とする請求項１２に記載の締結装置。
【請求項１６】
前記ロック軸スリーブは、下嵌合部を含み、
前記ストッパリングは、前記下嵌合部に嵌合される内嵌合溝を含むことを特徴とする請求項１５に記載の締結装置。
【請求項１７】
前記ノブは、前記軸方向に沿って前記内部空間へ突出するボスを含み、
前記ロック軸スリーブは、前記下嵌合部に接続され且つ前記ボスに嵌合される上嵌合部を含むことを特徴とする請求項１６に記載の締結装置。
【請求項１８】
前記ロック軸スリーブは下端面を含み、前記スクリューが前記ロック軸スリーブにロックされた状態で、前記ストッパリングが前記下端面に当接することを特徴とする請求項１５に記載の締結装置。
【請求項１９】
前記第１の部品群は、ロック軸スリーブを含み、
前記第２の部品群は、スクリューを含み、該スクリューは、前記大径部により位置決めされる頭部と、前記頭部に接続され且つ前記ロック軸スリーブにロックされるように、前記軸心空間に貫設されるロッド部と、を有することを特徴とする請求項１２に記載の締結装置。
【請求項２０】
前記ハウジングユニットは、
前記径方向に沿って前記内部空間へ突出するように前記環状壁に位置するストッパ部を更に備え、
前記コイルが前記ストッパ部の下方に位置することを特徴とする請求項１１に記載の締結装置。
【発明の詳細な説明】
【技術分野】
【０００１】
本発明は、締結装置に関し、特に、糸を回収・放出可能な締結装置に関する。
【背景技術】
【０００２】
日常生活において、常に紐やベルト等の糸体によって物品を収束するが、最もよく見られる収束手段としては、例えば、ひも靴等のように、糸体を物品における穴から往復して通り抜けさせて、また結び目によって固定することがある。しかしながら、このような収束手段では、外力の要因により結び目が緩みやすく、結び目を再び結ばなければならず、物品をしっかりと収束できないことで大きな障害をもたらす。
【０００３】
このような問題を解決するために、業者により、糸体を通過させるための貫通穴を有するケースと、制動ユニットと、バネと、を備え、バネと制動ユニットとの間の作用力によって糸体を制動ユニットとケースとの間に挟んで締結効果を達成させ、バネを押圧して制動ユニットの位置を変えることで、糸体を引いてその長さを変えることができる簡易束線機構が発展される。しかし、このような束線機構は、バネの復帰力によって締結力を提供するものであり、依然として振動や外力の要因により糸体が緩みやすく、且つこのような束線機構に糸体を収納する空間はないため、糸体の露出により危険をもたらしやすい。
【０００４】
従って、他の業者により、ベルトを旋回するように収束して固定することのできる別の留め具が発展され、糸体が留め具の内部に容置されることができ、且つ内部部材の機械力の干渉によって糸体の長さを調整可能にすると共に、収束の締め付け度を調整する。しかしながら、このような留め具の構造が複雑であるので、製造コストが向上すると共に、組立やメンテナンスが困難であるという問題がある。
【０００５】
そのため、業者は、引き続いて留め具の内部の構造に調整や改善を加えている。何れの調整や改善も構造を簡単化する前提で、留め具の締結能力を保持し、構造の信頼度を向上させ、短命化を避けるようにしている。
【発明の概要】
【発明が解決しようとする課題】
【０００６】
これに鑑みて、如何に留め具等の締結装置の構造を効果的に改善するかは、当業者の努力する目標となっている。
【課題を解決するための手段】
【０００７】
本発明は、コイルと接続ユニットの構造配置によって、構造の信頼度を向上させることのできる締結装置を提供する。
【０００８】
本発明の一態様の一実施形態によると、径方向及び軸方向を有し、且つ内部空間を取り囲む環状壁を含むハウジングユニットと、大径部、及び軸方向に沿って大径部に接続される小径部を有する軸心空間を含み、内部空間に位置するコイルと、軸方向に沿ってコイルの上方に設けられ、コイルの放出方向への回転を選択的に遮断する制動ユニットと、軸方向に沿って制動ユニットの上方に設けられ、且つ制動ユニットに結合されるノブと、ノブに接続される第１の部品群と、第１の部品群に接続されるように、軸心空間に貫設され且つ大径部により位置決めされる第２の部品群と、を含む接続ユニットと、を備える締結装置を提供する。
【０００９】
これにより、コイルの軸心空間に大径部及び小径部を持たせることで、接続ユニットを大径部に位置決めして、ハウジングユニット、コイル、制動ユニット及びノブが回転中に緩んで分離することを避け、構造の信頼度の向上に寄与することができる。
【００１０】
前記の締結装置の複数の実施例によると、第１の部品群は、スクリューを含んでもよい。第２の部品群は、接続スリーブを含んでよく、接続スリーブは、大径部に位置決めされる頂上部と、頂上部に接続され、小径部を通過し且つスクリューがロックされる筒部と、を有してもよい。又は、ノブは、軸方向に沿って内部空間へ突出するボスを含んでもよい、接続スリーブがノブと連動するように、筒部がボスに嵌合される。
【００１１】
前記の締結装置の複数の実施例によると、第１の部品群は、ロック軸スリーブを含んでもよい。第２の部品群は、大径部に位置決めされるストッパリングと、ストッパリング及び小径部を通過してロック軸スリーブにロックされるスクリューと、を含んでもよい。又は、ロック軸スリーブは、下嵌合部を含んでよく、ストッパリングは、下嵌合部に嵌合される内嵌合溝を含む。又は、ノブは、軸方向に沿って内部空間へ突出するボスを含んでよく、ロック軸スリーブは、下嵌合部に接続され且つボスに嵌合される上嵌合部を含む。又は、ロック軸スリーブは下端面を含んでよく、スクリューがロック軸スリーブにロックされた状態で、ストッパリングが下端面に当接する。
【００１２】
前記の締結装置の複数の実施例によると、第１の部品群は、ロック軸スリーブを含んでもよい。第２の部品群は、スクリューを含み、該スクリューは、大径部により位置決めされる頭部と、頭部に接続され且つロック軸スリーブにロックされるように、軸心空間に貫設されるロッド部と、を有してもよい。
【００１３】
前記の締結装置の複数の実施例によると、ハウジングユニットは、環状壁の下端に凹設される内環凹部を更に含んでもよい。又は、ハウジングユニットは、径方向に沿って内部空間へ突出するように環状壁に位置するストッパ部を更に含み、コイルはストッパ部の下方に位置していてもよい。
【００１４】
本発明の一態様の別の実施形態によると、径方向及び軸方向を有し、且つ内部空間を取り囲む環状壁を含むハウジングユニットと、大径部、及び軸方向に沿って大径部に接続される小径部を有する軸心空間を含み、内部空間に位置するコイルと、軸方向に沿ってコイルの上方に設けられ、コイルの放出方向への回転を選択的に遮断する制動ユニットと、制動ユニットに結合されるように軸方向に沿って制動ユニットの上方に設けられ、放出方向へ回転して制動ユニットが軸方向に沿って上昇するように連動させて、制動ユニットとコイルとを分離させるノブと、ノブに接続され、且つ軸心空間に貫設されて大径部により位置決めされる接続ユニットと、を備える締結装置を提供する。
【００１５】
前記の締結装置の複数の実施例によると、接続ユニットは、ノブに接続される第１の部品群と、第１の部品群に接続されるように、軸心空間に貫設され且つ大径部により位置決めされる第２の部品群と、を含む。又は、第１の部品群は、スクリューを含んでもよい。第２の部品群は、接続スリーブを含み、接続スリーブは、大径部に位置決めされる頂上部と、頂上部に接続され、小径部を通過し且つスクリューがロックされる筒部と、を有してもよい。又は、ノブは、軸方向に沿って内部空間へ突出するボスを含み、接続スリーブがノブと連動するように、筒部がボスに嵌合されてもよい。
【００１６】
前記の締結装置の複数の実施例によると、第１の部品群は、ロック軸スリーブを含んでもよい。第２の部品群は、大径部に位置決めされるストッパリングと、ストッパリング及び小径部を通過してロック軸スリーブにロックされるスクリューと、を含んでもよい。又は、ロック軸スリーブは、下嵌合部を含み、ストッパリングは、下嵌合部に嵌合される内嵌合溝を含んでもよい。又は、ノブは、軸方向に沿って内部空間へ突出するボスを含み、ロック軸スリーブは、下嵌合部に接続され且つボスに嵌合される上嵌合部を含んでもよい。又は、ロック軸スリーブは下端面を含んでよく、スクリューがロック軸スリーブにロックされた状態で、ストッパリングが下端面に当接する。
【００１７】
前記の締結装置の複数の実施例によると、第１の部品群は、ロック軸スリーブを含んでもよい。第２の部品群は、大径部により位置決めされる頭部と、頭部に接続され且つロック軸スリーブにロックされるように、軸心空間に貫設されるロッド部と、を有するスクリューを含んでもよい。又は、ハウジングユニットは、径方向に沿って内部空間へ突出するように環状壁に位置するストッパ部を更に含み、コイルはストッパ部の下方に位置していてもよい。
【図面の簡単な説明】
【００１８】
【図１】本発明の第１の実施例による締結装置を示す斜視模式図である。
【図２】図１の締結装置を示す分解模式図である。
【図３】図１の締結装置を示す別の分解模式図である。
【図４】図１の締結装置を示す断面模式図である。
【図５】図１の締結装置を示す別の断面模式図である。
【図６】本発明の第２の実施例による締結装置を示す斜視分解模式図である。
【図７】図６の締結装置を示す断面模式図である。
【図８】本発明の第３の実施例による締結装置を示す斜視分解模式図である。
【図９】図８の締結装置を示す断面模式図である。
【図１０】本発明の第４の実施例による締結装置を示す斜視分解模式図である。
【図１１】図１０の締結装置を示す断面模式図である。
【発明を実施するための形態】
【００１９】
以下、添付図面に合わせて、本発明の実施例を説明する。明確に説明するために、多くの実際的な細部を下記叙述で合わせて説明する。しかしながら、理解すべきなのは、これらの実際的な細部は本発明を限定するためのものではない。つまり、本発明の実施形態の一部において、これらの実際的な細部は、必要としない。また、図面を簡略化するために、ある従来慣用の構造及び要素は、図面において簡単で模式的に示される。また、繰り返される要素は、同一又は類似の番号で示されることがある。
【００２０】
また、本明細書において、ある要素（又は機構やモジュール等）が別の要素に「接続」、「設置」又は「結合」される場合、前記要素が別の要素に直接接続、直接設置又は直接結合されることを指してもよいし、ある要素が別の要素に間接接続、間接設置又は間接結合されることを指してもよい。つまり、他の要素が前記要素と別の要素との間に介在することがある。ある要素が別の要素に「直接接続」、「直接設置」又は「直接結合」されることが明示される場合しか、他の要素が前記要素と別の要素との間に介在することはないことを表す。「第１の」、「第２の」、「第３の」等の用語は、単に異なる要素や成分を記述するためのものであり、要素／成分そのものを制限しないため、第１の要素／成分は、第２の要素／成分と言い換えられてもよい。且つ本明細書における要素／成分／機構／モジュールの組み合わせは、この分野における一般に周知、常規又は既知の組み合わせではない。要素／成分／機構／モジュールそのものが既知であるかによって、その組み合わせ関係が当業者により容易に完成されるかを判定することはできない。
【００２１】
（第１の実施例）
図１、図２、図３、図４及び図５を参照する。図１は本発明の第１の実施例による締結装置１００を示す斜視模式図であり、図２は図１の締結装置１００を示す分解模式図であり、図３は図１の締結装置１００を示す別の分解模式図であり、図４は図１の締結装置１００を示す断面模式図であり、図５は図１の締結装置１００を示す別の断面模式図である。締結装置１００は、ハウジングユニット２００と、コイル３００と、制動ユニット４００と、ノブ５００と、接続ユニット６００と、を備える。
【００２２】
ハウジングユニット２００は、径方向（図示せず）及び軸方向Ｉ１を有し、且つ内部空間２４０を取り囲む環状壁２２０を含む。コイル３００は、大径部３４２、及び軸方向Ｉ１に沿って大径部３４２に接続される小径部３４１を有する軸心空間３４０を含み、内部空間２４０に位置する。制動ユニット４００は、軸方向Ｉ１に沿ってコイル３００の上方に設けられ、コイル３００の放出方向Ａ１への回転を選択的に遮断する。ノブ５００は、軸方向Ｉ１に沿って制動ユニット４００の上方に設けられ、且つ制動ユニット４００に結合される。接続ユニット６００は、ノブ５００に接続され、且つ軸心空間３４０に貫設されて大径部３４２により位置決めされる。
【００２３】
これにより、コイル３００の軸心空間３４０に大径部３４２及び小径部３４１を持たせることで、接続ユニット６００を大径部３４２に位置決めして、ハウジングユニット２００、コイル３００、制動ユニット４００及びノブ５００が回転中に緩んで分離することを避け、構造の信頼度の向上に寄与することができる。以下、締結装置１００の細部構造を詳しく説明する。
【００２４】
ハウジングユニット２００は、径方向に沿って内部空間２４０へ突出するように環状壁２２０に位置するストッパ部２５０を更に含み、コイル３００は、ストッパ部２５０の下方に位置してもよい。ハウジングユニット２００は、環状壁２２０を設けるためのベース２１０と、複数の係合ギヤ２３０と、内環凹部２６０と、を更に含む。環状壁２２０をベース２１０に設けるために、環状壁２２０はベース２１０に係合可能に設けられてもよい。複数の係合ギヤ２３０は、内部空間２４０に向かうように環状壁２２０に位置し、環状壁２２０の上端に位置し、内環凹部２６０は環状壁２２０の下端に凹設され、ストッパ部２５０は、凸型リング状構造を有し、且つ係合ギヤ２３０に近接する。つまり、環状壁２２０の内径の変化によって内環凹部２６０及びストッパ部２５０を形成することができる。
【００２５】
コイル３００は、中空軸柱３８０、上環部３６０及び下環部３７０を含み、上環部３６０及び下環部３７０がそれぞれ中空軸柱３８０から径方向に沿って外方へ突出し、且つ上環部３６０が軸方向Ｉ１に沿って下環部３７０の上方に位置するため、上環部３６０と下環部３７０との間に、糸（図示せず）により巻き取られることのできる環状軌道３１０が形成される。コイル３００は、軸方向Ｉ１に沿って上環部３６０の上方に位置する複数の嵌合歯部３２０を更に含み、且つ中空軸柱３８０の内周面３５０が周回して軸心空間３４０を形成し、中空軸柱３８０の内径の変化によって互いに連通する大径部３４２及び小径部３４１を形成することができ、大径部３４２が小径部３４１の下方に位置してもよい。中空軸柱３８０の内周面３５０は、何れも大径部３４２に位置する外方拡張領域３５１及び垂直面領域３５２を含み、コイル３００は、軸心空間３４０に連通する下開口３３０を更に含んでもよい。
【００２６】
制動ユニット４００は、環状本体４４０、第１の保持部４１０、第２の保持部４２０、３つの案内部４３０、３つのクリック式係合アーム４５０、３つの係止部４６０、複数の嵌合係合歯４７０、中心孔４８０及び２つのバンプ４９１、４９２を含む。中心孔４８０は環状本体４４０の中央に位置し、案内部４３０は環状本体４４０から外向きに突出する傾斜した歯構造であり、且つノブ５００に結合されることに用いられる。第１の保持部４１０及び第２の保持部４２０は、環状本体４４０から内側に突出し、且つ各々自由端４１１、４２１を含み、自由端４１１、４２１が力を受けると径方向に沿って移動することができ、外力が解放された後で復帰することができる。２つのバンプ４９１、４９２は、環状本体４４０から内側に突出し、且つ２つの自由端４１１、４２１との間に間隔を有する。クリック式係合アーム４５０は、環状本体４４０の外面に接続される近位端４５１と、係合ギヤ２３０に分離可能に噛み合うための遠位端４５２と、を含む。３つの係止部４６０は、それぞれ３つのクリック式係合アーム４５０に位置する。嵌合係合歯４７０は、環状本体４４０の下方に位置し、コイル３００の嵌合歯部３２０に選択的に噛み合うことができる。
【００２７】
ノブ５００は、ノブ５００の内壁に設けられる案内軌道５１０と、軸方向Ｉ１に沿って内部空間２４０へ突出するボス５２０と、ボス５２０を貫通する貫通穴５３０と、径方向に沿ってボス５２０の外側に対称に設けられる２つの位置決めブロック５４０と、を含む。ここで特に説明すべきなのは、図３では、視野角の要因によって位置決めブロック５４０のみがみられるが、当業者であれば、視野角の見えない側に、他方の位置決めブロック５４０があることがわかる。
【００２８】
接続ユニット６００は、ノブ５００に接続される第１の部品群（図示せず）と、第１の部品群に接続されるように、軸心空間３４０に貫設され且つ大径部３４２により位置決めされる第２の部品群（図示せず）と、を含む。第１の実施例において、接続ユニット６００の第１の部品群は、スクリュー６１０を含み、第２の部品群は、接続スリーブ６２０を含む。接続スリーブ６２０は、大径部３４２に位置決めされる頂上部６２２と、頂上部６２２に接続され、小径部３４１を通過し且つスクリュー６１０がロックされる筒部６２１と、を含む。
【００２９】
より詳しくは、コイル３００が環状壁２２０の下方から内部空間２４０に配置された状態で、図４に示すように、上環部３６０及び下環部３７０は、それぞれストッパ部２５０及び内環凹部２６０により位置決めされて、コイル３００が環状壁２２０の上方から脱離できないようにする。案内部４３０（図３参照）は、ノブ５００と制動ユニット４００を接続するように、案内軌道５１０に結合され、ノブ５００のボス５２０は制動ユニット４００の中心孔４８０（図２参照）に突き出る。
【００３０】
接続スリーブ６２０は、コイル３００の下開口３３０（図３参照）を介して下から上へと軸心空間３４０に配置されることができ、小径部３４１、大径部３４２、頂上部６２２及び筒部６２１の直径の原因で、筒部６２１が小径部３４１を通過することができるが、頂上部６２２が大径部３４２に残される。この場合、スクリュー６１０を筒部６２１にロックするだけで、ノブ５００及び制動ユニット４００とコイル３００とを組み合わせることができる。且つストッパ部２５０の原因で、スクリュー６１０が筒部６２１にロックされた状態で、ノブ５００、制動ユニット４００、コイル３００及び環状壁２２０は分離できなくなり、組立が終了する。他の実施例において、コイルが環状壁の上方から脱離することを阻止するように、ストッパ部を設けずに、係合ギヤを内部空間へ突出させてもよい。或いは、ストッパ部及び内環凹部の一方が環状壁に設けられてもよいが、上記開示に限定されない。
【００３１】
好ましくは、筒部６２１は、接続スリーブ６２０がノブ５００と連動するように、ボス５２０に嵌合されることができる。筒部６２１がボス５２０に嵌合されることができるように、筒部６２１の外壁形状は貫通穴５３０の内壁に合わせてよく、好ましくは、筒部６２１の外壁の断面及び貫通穴５３０の内壁の断面の何れも非円形である。糸を引いてコイル３００を放出方向Ａ１へ回転させる場合、コイル３００が第２の部品群に摩擦する可能性があるので、第２の部品群の筒部６２１をボス５２０に嵌合させると、第２の部品群が摩擦により旋回することを防止することに寄与し、更に第１の部品群とのロックの分離を避けることができる。
【００３２】
図４に示すように、制動ユニット４００は第１の位置にあり、制動ユニット４００の嵌合係合歯４７０がコイル３００の嵌合歯部３２０に噛み合い、且つクリック式係合アーム４５０の遠位端４５２（図２参照）が放出方向Ａ１（図２参照）において係合ギヤ２３０に噛み合い、クリック式係合アーム４５０の遠位端４５２が束ね方向Ａ２（図２参照）において係合ギヤ２３０から絶えずに分離し、係止部４６０は、位置が係合ギヤ２３０よりも相対的に低いので、係合ギヤ２３０に噛み合わない。そのため、束ね方向Ａ２へノブ５００を回転させると、制動ユニット４００を駆動させてコイル３００が糸を回収するように連動することができるが、且つノブ５００が作動しない場合、クリック式係合アーム４５０の遠位端４５２は、コイル３００の放出方向Ａ１への回転を防止するように係合ギヤ２３０に当接し、糸が放出されることを防止することができる。
【００３３】
また、ノブ５００の放出方向Ａ１への回転によって、制動ユニット４００が軸方向Ｉ１に沿って上昇するように連動させて、制動ユニット４００とコイル３００とを分離させることができる。より詳しくは、制動ユニット４００が第１の位置にある場合、案内部４３０とノブ５００の案内軌道５１０とは噛み合い、その一方の位置決めブロック５４０は第１の保持部４１０の自由端４１１とバンプ４９１との間に位置するが、他方の位置決めブロック５４０は第２の保持部４２０の自由端４２１とバンプ４９２との間に位置する。ノブ５００が放出方向Ａ１へ回転する場合、制動ユニット４００は、クリック式係合アーム４５０と係合ギヤ２３０との噛み合い関係により限定されて共に回転できないため、２つの位置決めブロック５４０がそれぞれ２つの自由端４１１、４２１に押し付けられ、２つの自由端４１１、４２１が径方向に沿って変形することで、ノブ５００は、制動ユニット４００に対して回転できるようになる。案内部４３０は、案内軌道５１０により案内されて案内軌道５１０に対して軸方向Ｉ１に沿って上昇し、制動ユニット４００が第２の位置にあるように切り替える。この場合、前記その一方の位置決めブロック５４０は第１の保持部４１０の自由端４１１とバンプ４９２との間に位置するようになり、前記他方の位置決めブロック５４０は第２の保持部４２０の自由端４２１とバンプ４９１との間に位置するようになる。
【００３４】
そのため、図５に示すように、制動ユニット４００が第２の位置にあり、その嵌合係合歯４７０がコイル３００の嵌合歯部３２０から分離するため、この場合、コイル３００は、制動ユニット４００により影響されず、放出方向Ａ１へ回転することができ、糸を引くことで放出することができる。
【００３５】
（第２の実施例）
図６及び図７を参照する。図６は本発明の第２の実施例による締結装置１００ａを示す斜視分解模式図であり、図７は図６の締結装置１００ａを示す断面模式図である。締結装置１００ａは、ハウジングユニット（図示せず）と、コイル３００ａと、制動ユニット４００ａと、ノブ５００ａと、接続ユニット６００ａと、を備える。ハウジングユニット、コイル３００ａ、制動ユニット４００ａ及びノブ５００ａの構造と関係は第１の実施例のハウジングユニット２００、コイル３００、制動ユニット４００及びノブ５００と類似であるが、接続ユニット６００ａの構造は第１の実施例の接続ユニット６００と異なる。
【００３６】
接続ユニット６００ａは、ロック軸スリーブ６１０ａを含む第１の部品群と、大径部（図示せず）に位置決めされるストッパリング６２１ａと、ストッパリング６２１ａ及び小径部（図示せず）を通過してロック軸スリーブ６１０ａにロックされるスクリュー６２２ａと、を有する第２の部品群６２０ａと、を含む。ロック軸スリーブ６１０ａは、下嵌合部６１１ａを含み、ストッパリング６２１ａは、下嵌合部６１１ａに嵌合される内嵌合溝６２１１ａを含む。ノブ５００ａは、軸方向に沿って内部空間（図示せず）へ突出するボス（図示せず）を含み、ロック軸スリーブ６１０ａは、下嵌合部６１１ａに接続され且つボスに嵌合される上嵌合部６１２ａを更に含む。
【００３７】
詳しくは、ストッパリング６２１ａは、底部６２１３ａと、底部６２１３ａに接続される本体部６２１２ａと、を更に含み、且つ内嵌合溝６２１１ａが本体部６２１２ａに位置する。ロック軸スリーブ６１０ａの上嵌合部６１２ａ形状がボス内に位置する貫通穴（図示せず）に合い、下嵌合部６１１ａの形状が内嵌合溝６２１１ａに合う。そのため、ロック軸スリーブ６１０ａが貫通穴に引き込まれる場合、上嵌合部６１２ａはボスに嵌合され、下嵌合部６１１ａはボスから露出して小径部内に突き出る。
【００３８】
また、図７に示すように、ストッパリング６２１ａの本体部６２１２ａが小径部に入り、内嵌合溝６２１１ａが下嵌合部６１１ａに嵌合され、底部６２１３ａが大径部に残されて大径部により位置決めされ、スクリュー６２２ａが軸方向に沿って下から上へとロック軸スリーブ６１０ａ内にロックされて、ノブ５００ａ、制動ユニット４００ａ、コイル３００ａ及び環状壁２２０ａの組み合わせを完成することができる。糸を引いてコイル３００ａを放出方向へ回転させる場合、コイル３００ａが第２の部品群６２０ａに摩擦する可能性がある。第２の部品群６２０ａのストッパリング６２１ａがロック軸スリーブ６１０ａによってボスに嵌合されるので、第２の部品群６２０ａが摩擦により旋回することを防止することに寄与し、更に第１の部品群とのロックの分離を避けることができる。
【００３９】
（第３の実施例）
図８及び図９を参照する。図８は本発明の第３の実施例による締結装置１００ｂを示す斜視分解模式図であり、図９は図８の締結装置１００ｂを示す断面模式図である。締結装置１００ｂは、ハウジングユニット（図示せず）と、コイル３００ｂと、制動ユニット４００ｂと、ノブ５００ｂと、接続ユニット６００ｂと、を備える。ハウジングユニット、コイル３００ｂ、制動ユニット４００ｂ及びノブ５００ｂの構造と関係は第２の実施例のハウジングユニット、コイル３００ａ、制動ユニット４００ａ及びノブ５００ａと類似であるが、接続ユニット６００ｂの構造は第２の実施例の接続ユニット６００ａと異なる。
【００４０】
より詳しくは、接続ユニット６００ｂの第１の部品群はロック軸スリーブ６１０ｂを含み、第２の部品群６２０ｂはストッパリング６２１ｂ及びスクリュー６２２ｂを含む。ロック軸スリーブ６１０ｂの構造は第２の実施例のロック軸スリーブ６１０ａと同じであってもよいが、上嵌合部の軸方向に沿った長さを大きくして、小径部に突き出るように、下嵌合部を含まなくてもよい。上記開示を含むがそれに限定されない。第３の実施例において、ストッパリング６２１ｂは環状構造を有する。ロック軸スリーブ６１０ｂは下端面６１１ｂを含み、スクリュー６２２ｂがロック軸スリーブ６１０ｂにロックされた状態で、ストッパリング６２１ｂが下端面６１１ｂに当接して、ノブ５００ｂ、制動ユニット４００ｂ、コイル３００ｂ及び環状壁２２０ｂの組立を完成することができる。糸を引いてコイル３００ｂを放出方向へ回転させる場合、コイル３００ｂが第２の部品群６２０ｂに摩擦する可能性がある。ストッパリング６２１ｂがスクリュー６２２ｂにより迫られて下端面６１１ｂに当接するため、ストッパリング６２１ｂ、スクリュー６２２ｂと下端面６１１ｂとの間の摩擦力はコイル３００ｂのストッパリング６２１ｂに対する摩擦力よりも大きい。これにより、第２の部品群６２０ｂが摩擦により旋回することを防止することに寄与し、更に第１の部品群とのロックの分離を避けることができる。
【００４１】
（第４の実施例）
図１０及び図１１を参照する。図１０は本発明の第４の実施例による締結装置１００ｃを示す斜視分解模式図であり、図１１は図１０の締結装置１００ｃを示す断面模式図である。
【００４２】
締結装置１００ｃは、ハウジングユニット（図示せず）と、コイル３００ｃと、制動ユニット４００ｃと、ノブ５００ｃと、接続ユニット６００ｃと、を備える。ハウジングユニット、コイル３００ｃ、制動ユニット４００ｃ及びノブ５００ｃの構造と関係は第３の実施例のハウジングユニット、コイル３００ｂ、制動ユニット４００ｂ及びノブ５００ｂと類似であるが、接続ユニット６００ｃの構造は第３の実施例の接続ユニット６００ｂと異なる。
【００４３】
より詳しくは、接続ユニット６００ｃの第１の部品群は、ロック軸スリーブ６１０ｃを含み、第２の部品群は、スクリュー６２０ｃを含む。スクリュー６２０ｃは、大径部により位置決めされる頭部６２２ｃと、頭部６２２ｃに接続され、且つロック軸スリーブ６１０ｃにロックされるように軸心空間に貫設されるロッド部６２１ｃと、を含む。構造的配置では、スクリュー６２０ｃが大径部により位置決めされるように、頭部６２２ｃの直径が小径部の直径よりも大きく、またスクリュー６２０ｃの直径が大径部の直径よりも小さくてもよい。これにより、ノブ５００ｃ、制動ユニット４００ｃ、コイル３００ｃ及び環状壁２２０ｃの組立を完成する。糸を引いてコイル３００ｃを放出方向へ回転させる場合、コイル３００ｃが第２の部品群に摩擦する可能性があるので、スクリュー６２０ｃをロックする場合に、例えば、ねじ山の拡大、ディスペンス等の形態で、スクリュー６２０ｃとロック軸スリーブ６１０ｃとの間のロック力を強化して、スクリュー６２０ｃとロック軸スリーブ６１０ｃとの間のロック力がコイル３００ｃのスクリュー６２０ｃに対する摩擦力よりも大きくなるようにする。これにより、第２の部品群が摩擦により旋回することを防止することに寄与し、更に第１の部品群とのロックの分離を避けることができる。
【００４４】
（他の実施例）
他の実施例において、接続ユニットは、軸心空間へ突き出るようにノブに一体的に接続され、或いは接着によりノブに固定されるボス構造であってもよい。接続ユニットは、下フランジを含んでよく、接続ユニットの上端をノブに接続させ且つ下フランジを大径部によって位置決めすることにより、ノブ、制動ユニット、コイル及び環状壁の組立を完成することができる。
【００４５】
本発明は、実施例で前述の通りに開示されたが、それらに限定されず、当業者であれば、本発明の精神と範囲から逸脱しない限り、多様の変更や修飾を加えてもよい。従って、本発明の保護範囲は、特許請求の範囲で指定した内容を基準とするものである。
【符号の説明】
【００４６】
１００、１００ａ、１００ｂ、１００ｃ  締結装置
２００  ハウジングユニット
２１０  ベース
２２０、２２０ａ、２２０ｂ、２２０ｃ  環状壁
２３０  係合ギヤ
２４０  内部空間
２５０  ストッパ部
２６０  内環凹部
３００、３００ａ、３００ｂ、３００ｃ  コイル
３１０  環状軌道
３２０  嵌合歯部
３３０  下開口
３４０  軸心空間
３４１  小径部
３４２  大径部
３５０  内周面
３５１  外方拡張領域
３５２  垂直面領域
３６０  上環部
３７０  下環部
３８０  中空軸柱
Ａ１  放出方向
Ａ２  束ね方向
Ｉ１  軸方向
４００、４００ａ、４００ｂ、４００ｃ  制動ユニット
４１１、４２１  自由端
４１０  第１の保持部
４２０  第２の保持部
４３０  案内部
４４０  環状本体
４５０  クリック式係合アーム
４５１  近位端
４５２  遠位端
４６０  係止部
４７０  嵌合係合歯
４８０  中心孔
４９１、４９２  バンプ
５００、５００ａ、５００ｂ、５００ｃ  ノブ
５１０  案内軌道
５２０  ボス
５３０  貫通穴
５４０  位置決めブロック
６００、６００ａ、６００ｂ、６００ｃ  接続ユニット
６１０、６２２ａ、６２２ｂ、６２０ｃ  スクリュー
６１０ａ、６１０ｂ、６１０ｃ  ロック軸スリーブ
６１１ａ  下嵌合部
６１１ｂ  下端面
６１２ａ  上嵌合部
６２０  接続スリーブ
６２０ａ、６２０ｂ  第２の部品群
６２１  筒部
６２１ａ、６２１ｂ、  ストッパリング
６２１ｃ  ロッド部
６２１１ａ  内嵌合溝
６２１２ａ  本体部
６２１３ａ  底部
６２２  頂上部
６２２ｃ  頭部
【図１】
2021531219.tif 000003
【図２】
2021531219.tif 000004
【図３】
2021531219.tif 000005
【図４】
2021531219.tif 000006
【図５】
2021531219.tif 000007
【図６】
2021531219.tif 000008
【図７】
2021531219.tif 000009
【図８】
2021531219.tif 000010
【図９】
2021531219.tif 000011
【図１０】
2021531219.tif 000012
【図１１】
2021531219.tif 000013
【国際調査報告】
2021531219.tif 000014
2021531219.tif 000015
2021531219.tif 000016
2021531219.tif 000017